(57)【要約】【課題】光モジュールを逆方向の回転も可能な構造にして、光接続箱内のレイアウト変更を容易にする。【解決手段】光モジュール６は、ケース１１のアダプタ７側と反対側の両隅部に、枢軸１３Ａを通すことができる軸穴１１ａ、１１ｂを持つ。その２つの軸穴の選択したいずれか一方（１１ａ）を通した枢軸１３Ａを中心として回転可能である。光コネクタ接続切替時に、光モジュール６を回転させアダプタ７部を光接続箱の外に露出させて、コネクタ挿抜作業をする。この光コネクタ接続切替時の光モジュール６の回転方向として２つの回転方向のいずれかを一方を選択して設置することができるので、光モジュールの回転方向の自由度が増し、レイアウトの変更が容易になり、汎用性が高くなる。光モジュール６を回転させる際に、上下に隣接する光モジュール６の一方に設けた突起が他方に設けた交差溝１５にガイドされるので、円滑な回転動作をさせることができる。【選択図】図５
2007140301.tif 000002
【特許請求の範囲】
【請求項１】
光コネクタ接続可能な複数のアダプタ部をケースの側面部に有するとともに、光接続箱内に積層して配置される光コネクタ接続部用の光モジュールであって、
ケースの前記側面部と反対側の両隅部に軸穴を有し、上下に隣接するケースの相対する一方の面に前記両隅部の軸穴の一方を中心とする円弧状の溝と他方を中心とする円弧状の溝とからなるガイド用の交差溝を有し、他方の面に前記交差溝に摺動可能に嵌合する突起を有し、ケースの前記２つの軸穴のいずれか一方が光接続箱の箱体側の枢軸に回転可能に枢支されていることを特徴とする光コネクタ接続部用の光モジュール。
【請求項２】
前記交差溝の２つの円弧状溝のそれぞれケース回転限界側の端部近傍に、光モジュールの回転をロックするための、溝幅を狭めたロック部を形成したことを特徴とする請求項１記載の光コネクタ接続部用の光モジュール。
【請求項３】
前記ケースのアダプタ部にケース内側から接続される光コネクタが、ケースの外から引き入れたＦＯコードの一端の光コネクタであることを特徴とする請求項１又は２記載の光コネクタ接続部用の光モジュール。
【請求項４】
請求項１又は２記載の光モジュールを用いた光接続箱であって、
導入側光ケーブルから取り出した複数の光ファイバテープ心線と一端側に光コネクタを取り付けた光ファイバコードの他端とを融着接続する融着接続トレイを備え、前記光ファイバコードの一端側の光コネクタを前記光モジュールのケース内に収納しかつケースの側面部に設けたアダプタに内側から嵌合させ、導出側光ファイバコードの光コネクタを光モジュールのアダプタに嵌合させて、光ファイバコードの光コネクタと導出側光ファイバコードの光コネクタとをコネクタ接続したことを特徴とする光接続箱。
【請求項５】
請求項３記載の光モジュールを用いた光接続箱であって、
導入側光ケーブルから取り出した複数の光ファイバテープ心線と一端側に光コネクタを取り付けたＦＯコードの他端とを融着接続する融着接続トレイを備え、前記ＦＯコードの一端側の光コネクタを前記光モジュールのケース内に収納しかつケースの側面部に設けたアダプタに内側から嵌合させ、導出側光ファイバコードの光コネクタを光モジュールのアダプタに嵌合させて、ＦＯコードの光コネクタと導出側光ファイバコードの光コネクタとをコネクタ接続したことを特徴とする光接続箱。
【請求項６】
前記枢軸を取り付けるための枢軸取付部を、光接続箱の箱体の複数箇所に設けたことを特徴とする請求項４又は５記載の光接続箱。
【発明の詳細な説明】
【技術分野】
【０００１】
この発明は、例えば大規模ビルやマンション等の各階に設置する光接続箱等の光接続箱内に積層して配置される光コネクタ接続部用の光モジュール、及びこれを用いた光接続箱に関する。
【背景技術】
【０００２】
例えば大規模ビルやマンション等の各階に設置する光接続箱として、例えば図８に示すように、導入側光ケーブル（ないし外線側光ケーブル）１から取り出した複数の光ファイバテープ心線２と、図示例では４心の光ファイバテープ心線の各光ファイバ３ｂの一端側に光コネクタ３ａを取り付けた４心のＦＯ（ファンアウト）コード３の他端とを融着接続トレイ４において融着接続（融着接続部を５で示す）し、前記各ＦＯコード３の一端側の光コネクタ３ａは光コネク接続部用の光モジュール６'内に収納してその側面部に設けたアダプタ７に内側から嵌合させ、一方、導出側光ファイバコード８の各光ファイバに取り付けた光コネクタ８ａを光モジュール６'のアダプタ７に外側から嵌合させて、ＦＯコード３の光コネクタ３ａと導出側光ファイバコード８の光コネクタ８ａとをコネクタ接続した構成である。９は前記の各導出側光ファイバコード８を集合してケーブル化した導出側光ケーブル（ないし装置側光ケーブル）である。１１'は光モジュール６'のケースを示す。また、光接続箱１０'の箱体を１２で示す。１２ａは箱体１２の天板、１２ｂは積層した光モジュール６'を受ける受台である。
【０００３】
この種の光接続箱１０'において、導出側光ファイバコード８の光コネクタ８ａの挿抜（挿入・抜き取り）を行って光コネクタ８ａの接続切替（光配線の切り替え）を行う必要が生じる場合がある。そのようなコネクタ挿抜の作業を容易にするために、図９に２点鎖線で示すように、光モジュール６'をケーブル１の片隅に設けた軸穴１１ａ'に通した枢軸１３を中心として回転可能にすることが行われている（特許文献１、特許文献２等）。
【特許文献１】特開2001-194536の図１（ａ）等
【特許文献２】特開2001−042133の図５等
【発明の開示】
【発明が解決しようとする課題】
【０００４】
上記従来の光モジュール６'は、光コネクタ接続切替の際に、図９に２点鎖線で示すように、光モジュール６'のアダプタ７の部分が外部に出るので、コネクタ挿抜作業が容易であるが、光モジュール６'を回転させる枢軸部が１箇所であり一定方向にしか回転できない構造であるから、当該光モジュール６'の配置は固定的なものとなり、現場でのレイアウト変更等を行うことはできなかった。
【０００５】
本発明は上記従来の欠点を解消するためになされたもので、光コネクタ接続切替時のコネクタ挿抜作業が容易であるだけでなく、光モジュールを逆方向の回転も可能な配置にできる構造として、光接続箱内のレイアウト変更を容易にする光コネクタ接続部用の光モジュール、及びこれを用いた光接続箱を提供することを目的とする。
【課題を解決するための手段】
【０００６】
上記課題を解決する請求項１の本発明は、光コネクタ接続可能な複数のアダプタ部をケースの側面部に有するとともに、光接続箱内に積層して配置される光コネクタ接続部用の光モジュールであって、
ケースの前記側面部と反対側の両隅部に軸穴を有し、上下に隣接するケースの相対する一方の面に前記両隅部の軸穴の一方を中心とする円弧状の溝と他方を中心とする円弧状の溝とからなるガイド用の交差溝を有し、他方の面に前記交差溝に摺動可能に嵌合する突起を有し、ケースの前記２つの軸穴のいずれか一方が光接続箱の箱体側の枢軸に回転可能に枢支されていることを特徴とする。
【０００７】
請求項２は、請求項１の光コネクタ接続部用の光モジュールにおいて、交差溝の２つの円弧状溝のそれぞれケース回転限界側の端部近傍に、光モジュールの回転をロックするための、溝幅を狭めたロック部を形成したことを特徴とする。
【０００８】
請求項３は、請求項１又は２の光コネクタ接続部用の光モジュールにおいて、ケースのアダプタ部にケース内側から接続される光コネクタが、ケースの外から引き入れたＦＯ（ファンアウト）コードの一端の光コネクタであることを特徴とする。
【０００９】
請求項４は、請求項１又は２の光モジュールを用いた光接続箱であって、
導入側光ケーブルから取り出した複数の光ファイバテープ心線と一端側に光コネクタを取り付けた光ファイバコードの他端とを融着接続する融着接続トレイを備え、前記光ファイバコードの一端側の光コネクタを前記光モジュールのケース内に収納しかつケースの側面部に設けたアダプタに内側から嵌合させ、導出側光ファイバコードの光コネクタを光モジュールのアダプタに嵌合させて、光ファイバコードの光コネクタと導出側光ファイバコードの光コネクタとをコネクタ接続したことを特徴とする。
【００１０】
請求項５は、請求項３の光モジュールを用いた光接続箱であって、
導入側光ケーブルから取り出した複数の光ファイバテープ心線と一端側に光コネクタを取り付けたＦＯコードの他端とを融着接続する融着接続トレイを備え、前記ＦＯコードの一端側の光コネクタを前記光モジュールのケース内に収納しかつケースの側面部に設けたアダプタに内側から嵌合させ、導出側光ファイバコードの光コネクタを光モジュールのアダプタに嵌合させて、ＦＯコードの光コネクタと導出側光ファイバコードの光コネクタとをコネクタ接続したことを特徴とする。
【００１１】
請求項６は、請求項４又は５の光接続箱において、枢軸を取り付けるための枢軸取付部を、光接続箱の箱体の複数箇所に設けたことを特徴とする。
【発明の効果】
【００１２】
請求項１の発明の光モジュールは、ケースのアダプタ側と反対側の両隅部に、枢軸を通す軸穴を有しており、その軸穴の選択したいずれか一方を通した枢軸を中心としてに回転可能なので、光コネクタ接続切替作業のための回転方向として２つの回転方向のいずれかを一方を選択して設置することができる。このように、光モジュールの回転方向の自由度が増すので、光モジュールのレイアウトの変更が容易になり、光配線の自由度が向上し、光モジュールの汎用性が高くなる。
そして、光コネクタ接続切替をしようとする光モジュールを回転させる際に、上下に隣接する光モジュールの一方に設けた突起が他方に設けた交差溝にガイドされるので、円滑な回転動作をさせることができる。
【００１３】
請求項２によれば、交差溝のケース回転限界側の端部に溝幅を狭めたロック部を形成しているので、コネクタ挿抜作業時に光モジュールがみだりに回転しないようにロックされ、したがって、コネクタ挿抜の作業性が良好である。
【００１４】
請求項３のように、光モジュール内の光ファイバがＦＯコードであると、そのＦＯコードの光コネクタを光モジュールのアダプタ部に内側から嵌合させるだけで簡単にモジュール化できるので、ＦＯコードを用いると好適である。
【発明を実施するための最良の形態】
【００１５】
以下、本発明を実施した光コネクタ接続部用の光モジュール及びこれを用いた光接続箱について、図面を参照して説明する。
【実施例１】
【００１６】
図１は本発明の一実施例の光接続箱１０の、扉を開いた状態で示した正面図、図２は図１の光接続箱１０の、天板１２ａを除いた状態で示した要部の平面図である。光接続箱１０の箱体を１２で示す。
この光接続箱１０は、光コネクタ接続可能な図示例では４つのアダプタ７をケース１１の側面部に有し当該光接続箱１０内に積層して配置される光コネクタ接続部用の図示例では３段の光モジュール６を備えている。
この光接続箱１０は、導入側光ケーブル（ないし外線側光ケーブル）１から取り出した複数の光ファイバテープ心線２と、４心光ファイバテープ心線の各光ファイバ３ｂの一端側に光コネクタ３ａを取り付けた４心のＦＯ（ファンアウト）コード３の他端とを融着接続トレイ４において融着接続（融着接続部を５で示す）し、前記各ＦＯコード３の一端側の光コネクタ３ａは前記光コネク接続部用の光モジュール６内に収納してその側面部のアダプタ７に内側から嵌合させ、一方、導出側光ファイバコード８の光コネクタ８ａを光モジュール６のアダプタ７に外側から嵌合させて、ＦＯコード３の光コネクタ３ａと導出側光ファイバコード８の光コネクタ８ａとをコネクタ接続した構成である。図示例のアダプタ７は２心アダプタの片側部分である。９は前記の各導出側光ファイバコード８を集合してケーブル化した導出側光ケーブル（ないし装置側光ケーブル）である。１１は光モジュール６のケースを示す。１２ｂは積層した光モジュール６を受ける受台である。
【００１７】
図３（イ）は前記光モジュール６の平面図、（ロ）は正面図、（ハ）は底面図、図５は光接続箱１０内の積層した光モジュール６の回転状況を説明する斜視図である。これらの図に示すように、各光モジュール６のケース１１は、前記アダプタ７のある側面部と反対側の両隅部に軸穴１１ａ、１１ｂを有しており、その２つの軸穴１１ａ、１１ｂのいずれか一方（図示例では軸穴１１ａ）が光接続箱１０の箱体側の枢軸１３Ａに回転可能に枢支されている。
また、光接続箱１０の箱体１２の天板１２ａと受台１２ｂとには、図４に示すように、枢軸（１３など）を取り付けることができる４箇所の枢軸取付部（受台１２ｂ側の枢軸取付部１２ｃ（１２ｃａ、１２ｃｂ、１２ｃｃ、１２ｃｄ）で示す）を設けている。例えば図５のように、枢軸１３Ａの下端部をネジ部１３ａとすると、受台１２ｂ側の枢軸取付部１２ｃはネジ穴とし、枢軸１３Ａの上端面にネジ穴１３ｂを形成すると、天板１２ａ側の枢軸取付部としてネジ付きピンを設ける。図示例は、枢軸１３Ａを枢軸取付部１２ｃａに取り付けた場合である。
【００１８】
また、図３、図５に示すように、ケース上面の蓋１４には、前記両隅部の軸穴１１ａ、１１ｂの一方の軸穴１１ａを中心とする円弧状の溝１５ａと他方の軸穴１１ｂを中心とする円弧状の溝１５ｂとからなるガイド用の交差溝１５を有し、ケース下面１６には、その下側に隣接する光モジュール６のケース上面の前記交差溝１５に摺動可能に嵌合する突起１８を有している。
また、前記交差溝１５の２つの円弧状溝１５ａ、１５ｂのそれぞれケース回転限界側の端部近傍に、光モジュール６の回転をロックするための、溝幅を狭めたロック部１５ｃを形成している。なお、必要があれば、交差溝１５の中間位置に、前記ロック部１５ｃと概ね同様な構造のラッチ部を形成することもできる。
また、ケース１１のアダプタ７のある側面部の両側にそれぞれ、光モジュール６を収納位置に係止するための係止片１７を設けている。この両側の係止片１７は、円形の軸に嵌合可能な半円筒状凹面１７ａを有し、後述するように光モジュール６の収納位置に対応して、いずれか一方が、箱体１２側に設けた係止用円形軸に嵌合して光モジュール６を係止することができる。
【００１９】
この光接続箱１０において、導出側光ファイバコード８の光コネクタ８ａの挿抜（挿入・抜き取り）を行って光コネクタ８ａの接続切替（光配線の切り替え）を行う必要が生じる場合がある。
そのようなコネクタ挿抜の作業を行う場合、図２に２点鎖線で示すように、光モジュール６をケース１１の一方の軸穴１１ａを通る垂直な枢軸１３Ａを中心として回転させて、アダプタ７のある側面部が光接続箱１０の開放面から外部に出し、この状態で導出側の光コネクタ８の各光コネクタ８ａの挿抜を行って、光コネクタ８ａの接続切替を行う。
積層状態の光モジュール６のうちの特定の１つの光モジュール６を光コネクタ接続切替のために回転させて取り出す時、その下面の突起１８がその下側の光モジュール６の上面の交差溝１５の一方の円弧状溝１５ａにガイドされて摺動し、溝幅を狭めたロック部１５ｃを通過して、円弧状溝１５ａの端（ケース回転限界）に達し、光モジュール６はその回転限界位置でロックされる。したがって、コネクタ挿抜作業時に光モジュール６がみだりに回転することがなく、作業性がよい。
光コネクタ接続切替作業を終えると、光モジュール６を係止解除できる程度の力を加えて逆に回転させて元の状態に戻すと、係止片１７が箱体１２側の係止用円形軸に嵌合して、収納位置に安定して保持される。以上の手順を繰り返して、必要な光モジュール６の光コネクタ接続切替を行う。
【００２０】
上記の光モジュール６は、前記軸穴１１ａと反対側にも軸穴１１ｂを持つので、図６のような配置の使用も可能である。すなわち、この例では、光モジュール６をその左右の向きを反対にして設置する場合であり、光モジュール６の軸穴１１ｂに通した枢軸１３Ｃを、箱体１２の受台１２ｂの枢軸取付部１２ｃｃに取り付けた場合である。
この場合は、光接続箱１０内で導入側のＦＯコード３が左側、導出側の光ファイバコー
ド８が右側にくるレイアウトである。
【００２１】
また、上記の光モジュール６は、図７のような配置の使用も可能である。すなわち、この例では、図２の光接続箱１０の箱体１２において、その開放面を逆にした場合である。すなわち、図２では図の下側に向いている開放面を閉ざして反対面を開放面としたものであり、図７では開放面（扉側）が図の上側に向いている。この場合、光モジュール６の軸穴１１ｂに通した枢軸１３Ｂを、箱体１２の受台１２ｂの枢軸取付部１２ｃｂに取り付ける。
これにより、光モジュール６の軸穴１１ｂを通る枢軸１３Ｂを中心として、図２と逆の方向に回転可能となる。
なお、光接続箱１０の前後両面が開放面となっていれば、図２の回転方向と図７の回転方向との切替は、枢軸を通す箇所を切り替えることで簡単に行うことができる。
上記のように、光モジュール６の回転方向の自由度が増すので、光モジュール６のレイアウトの変更が容易になり、光配線の自由度が向上し、光モジュール６の汎用性が高くなる。
【実施例２】
【００２２】
なお、光モジュール６のケース１１に設ける軸穴は、完全閉鎖断面のものであることに限定されるものではなく、一部開口軸穴であってもよい。要するに、ケース１１が枢軸を中心として回転可能になるような、実質的に軸穴として機能するものであればよい。
【００２３】
受台１２ｂに設ける複数の枢軸取付部の相対位置関係（例えば１２ｃａと１２ｃｂ間の距離）は、光モジュール６の軸穴１１ａ、１１ｂの相対位置関係と同じにする必要はない。光モジュール６の回転方向に対応して、枢軸の位置を適切な位置に設定するとよい。
【００２４】
また、実施例では光モジュールのケースの上面に交差溝１５、下面に突起１８を設けているが、逆に、ケースの上面に突起１８、下面に交差溝１５を設けた構成としてもよい。この構成でも、上下に隣接する光モジュール６のケース１１の回転のガイドを有効に果たすことができる。
【００２５】
また、上記実施例では、ＦＯコード３が４心であるが、心数は任意である。
また、導入側の光ファイバテープ心線２と導出側光ファイバコード８とを接続する光ファイバは、実施例ではＦＯコード３であるが、必ずしもＦＯコードである必要はない。
また、導入側の光ファイバテープ心線２とＦＯコード３との光接続は融着接続トレイ４内での融着接続であるが、融着接続でなく光コネクタ接続とすることを除外しない。
また、導入側光ケーブル１から取り出した光ファイバは光ファイバテープ２であるが、光ファイバテープ２に限定されず、多心光ファイバコードでもよいし、また、単心光ファイバ心線であってもよい。
【００２６】
また、導出側の光ファイバコード８は図示例では集合して導出側光ケーブル９としているが、光ファイバコード８のまま引き出す構成としてもよい。
また、実施例の光接続箱１０の箱体１２の構造は模式的なものであり、種々の形態のものを採用できる。
【図面の簡単な説明】
【００２７】
【図１】本発明の一実施例の光接続箱の、扉を開いた状態で示した正面図である。
【図２】図１の光接続箱の、天板を除いた状態で示した要部の平面図である。
【図３】（イ）は上記光接続箱における光コネクタ接続部用の光モジュールの平面図、（ロ）は正面図、（ハ）は底面図である。
【図４】光モジュールが回転する枢軸を取付可能な位置を説明するもので、光接続箱で積層した光モジュールを受ける受台を主に示した箱体の模式的な平面図である。
【図５】上記光接続箱における各光モジュールの回転状況を説明する斜視図である。
【図６】上記光接続箱における光モジュールのレイアウトの他の態様を示す図である。
【図７】上記光接続箱における光モジュールのレイアウトのさらに他の態様を示す図である。
【図８】従来の光接続箱の、扉を開いた状態で示した正面図である。
【図９】図８の光接続箱の天板を除いた状態で示した要部の平面図である。
【符号の説明】
【００２８】
１  導入側光ケーブル
２  光ファイバテープ心線
３  ＦＯ（ファンアウト）コード
３ａ  （ＦＯコード３の先端の）光コネクタ
３ｂ  （ＦＯコード３の）光ファイバ
４    融着接続トレイ
５  融着接続部
６  光モジュール
７  アダプタ
８  導出側光ファイバコード
８ａ  （導出側光ファイバコード８に取り付けた）光コネクタ
９  導出側光ケーブル
１０  光接続箱
１１  （光モジュールの）ケース
１１ａ、１１ｂ  （枢軸を通す）軸穴
１２  箱体
１２ａ  天板
１２ｂ  （積層した光モジュール６を受ける）受台
１２ｃ（１２ｃａ、１２ｃｂ、１２ｃｃ、１２ｃｄ）  枢軸取付部
１３Ａ、１３Ｂ、１３Ｄ    枢軸
１３ａ  （枢軸の）ネジ部
１３ｂ  （枢軸の）ネジ穴
１４  （ケースの）蓋
１５  交差溝
１５ａ、１５ｂ  円弧状の溝
１５ｃ  ロック部
１６  ケース下面
１７  係止片
１７ａ  半円筒状凹面
１８  （交差溝１５に嵌合する）突起
【図１】
2007140301.tif 000003
【図２】
2007140301.tif 000004
【図３】
2007140301.tif 000005
【図４】
2007140301.tif 000006
【図５】
2007140301.tif 000007
【図６】
2007140301.tif 000008
【図７】
2007140301.tif 000009
【図８】
2007140301.tif 000010
【図９】
2007140301.tif 000011